(57)【要約】【課題】現在表示中のデータを適宜な条件で消去することができる表示媒体及びデータ表示プログラムを提供する。【解決手段】表示部１０に表示用のデータが表示されている時に、通信部１４がサーバ２００と通信し、上記表示用のデータの表示及び消去を制御するための制御データを取得する。表示制御部１２は、上記制御データに上記データの表示を消去する旨の消去指示が含まれていると判断した場合に、表示部１０に表示されていたデータの全部または一部を消去する。【選択図】      図１
2008233159.tif 000002
【特許請求の範囲】
【請求項１】
データを表示する表示手段と、
前記データの表示中に、当該データの表示及び消去を制御するための制御データを取得する制御データ取得手段と、
前記制御データに基づいて前記表示手段におけるデータの表示を消去する表示制御手段と、
を備えることを特徴とする表示媒体。
【請求項２】
請求項１記載の表示媒体において、前記制御データ取得手段は、通信手段により前記制御データを取得することを特徴とする表示媒体。
【請求項３】
請求項１記載の表示媒体において、前記制御データ取得手段は、表示媒体の積層状態を検出する検出手段の検出出力を制御データとして取得することを特徴とする表示媒体。
【請求項４】
請求項３記載の表示媒体において、前記検出手段は、光または圧力を検出する手段であることを特徴とする表示媒体。
【請求項５】
請求項１から請求項４のいずれか一項記載の表示媒体が、前記消去するデータを記憶する記憶手段をさらに備えることを特徴とする表示媒体。
【請求項６】
請求項１から請求項４のいずれか一項記載の表示媒体において、前記表示制御手段は、前期制御データに基づいてデータの一部を消去することを特徴とする表示媒体。
【請求項７】
コンピュータを、
表示手段に表示されたデータの表示中に、当該データの表示及び消去を制御するための制御データを取得する制御データ取得手段、
前記制御データに基づいて前記表示手段におけるデータの表示を消去する表示制御手段、
として機能させることを特徴とするデータ表示プログラム。
【発明の詳細な説明】
【技術分野】
【０００１】
本発明は、表示媒体及びデータ表示プログラムに関する。
【背景技術】
【０００２】
近年、各種データを表示する薄型の装置として、電子ペーパーあるいは薄型ディスプレイ等の表示媒体が提案されている。このような表示媒体では、データの表示を継続した場合、他の表示ができない等、表示媒体の効率的な使用ができなくなる。
【０００３】
そこで、下記特許文献１では、データ記憶後所定時間が経過すると、記憶したデータを消去する電子ペーパーが開示されている。ただし、本従来例では、現在表示中のデータの消去までは行っていない。
【特許文献１】特開２００３−７６３５４号公報
【発明の開示】
【発明が解決しようとする課題】
【０００４】
本発の目的は、現在表示中のデータを適切な条件で消去することができる表示媒体及びデータ表示プログラムを提供することにある。
【課題を解決するための手段】
【０００５】
上記目的を達成するために、請求項１記載の表示媒体の発明は、データを表示する表示手段と、前記データの表示中に、当該データの表示及び消去を制御するための制御データを取得する制御データ取得手段と、前記制御データに基づいて前記表示手段におけるデータの表示を消去する表示制御手段と、を備えることを特徴とする。
【０００６】
請求項２記載の発明は、請求項１記載の発明において、前記制御データ取得手段が、通信手段により前記制御データを取得することを特徴とする。
【０００７】
請求項３記載の発明は、請求項１記載の発明において、前記制御データ取得手段が、表示媒体の積層状態を検出する検出手段の検出出力を制御データとして取得することを特徴とする。
【０００８】
請求項４記載の発明は、請求項３記載の発明において、前記検出手段が、光または圧力を検出する手段であることを特徴とする。
【０００９】
請求項５記載の発明は、請求項１から請求項４のいずれか一項記載の発明が、前記消去するデータを記憶する記憶手段をさらに備えることを特徴とする。
【００１０】
請求項６記載の発明は、請求項１から請求項４のいずれか一項記載の発明において、前記表示制御手段が、前期制御データに基づいてデータの一部を消去することを特徴とする。
【００１１】
請求項７載のデータ表示プログラムの発明は、コンピュータを、表示手段に表示されたデータの表示中に、当該データの表示及び消去を制御するための制御データを取得する制御データ取得手段、前記制御データに基づいて前記表示手段におけるデータの表示を消去する表示制御手段、として機能させることを特徴とする。
【発明の効果】
【００１２】
請求項１の発明によれば、表示中のデータの表示及び消去を制御するための制御データに基づいて、適切に消去することができる。
【００１３】
請求項２の発明によれば、上記データの表示を、管理者がサーバから制御することができる。
【００１４】
請求項３または請求項４の発明によれば、表示が不要となり、積層状態とされた表示媒体の表示を適宜消去することができる。
【００１５】
請求項５の発明によれば、一度消去したデータを再度表示することができる。
【００１６】
請求項６の発明によれば、本構成を有していない場合に比べて、不必要なデータのみ消去することが容易となる。
【００１７】
請求項７の発明によれば、表示中のデータの表示及び消去を制御するための制御データに基づいて、適切に消去することができるデータ表示プログラムを提供できる。
【発明を実施するための最良の形態】
【００１８】
以下、本発明を実施するための最良の形態（以下、実施形態という）を、図面に従って説明する。
【００１９】
実施形態１．
図１には、本発明にかかる表示媒体の実施形態１の構成例が示される。図１において、表示媒体１００は、表示部１０、表示制御部１２、通信部１４及び記憶部１６を含んで構成されている。
【００２０】
表示部１０は、表示媒体１００が電子ペーパーである場合には、例えばジリコンビーズやマイクロカプセル等をプラスチックシートで挟んで構成されている。また、表示媒体１００が薄型ディスプレイである場合には、例えば液晶ディスプレイ（ＬＣＤ）等で構成されている。この表示部１０には、利用者が所望のデータを表示する。
【００２１】
表示制御部１２は、中央処理装置（例えばＣＰＵを用いることができる）及びＣＰＵの処理動作を制御するプログラムを含んで実現され、表示部１０へのデータの表示及びその消去を制御する。なお、表示媒体１００が電子ペーパーである場合には、表示制御部１２に上記ジリコンビーズやマイクロカプセル等を駆動制御する駆動層（ドライバ層）が含まれる。
【００２２】
通信部１４は、ネットワークポート等の適宜な通信インターフェースにより実現され、サーバ２００から表示用のデータ、制御データ等を取得する。ここで、制御データとは、表示用のデータの表示及び消去を制御するためのデータである。
【００２３】
記憶部１６は、例えばＣＰＵの作業メモリとして使用されるランダムアクセスメモリ（ＲＡＭ）、読み出し専用メモリ（ＲＯＭ）等のコンピュータが読み取り可能な記憶装置で実現され、上記ＣＰＵの処理動作を制御するプログラム、通信部１４が通信を行うサーバ２００のアドレス情報（例えばＵＲＬ等）、表示用のデータ等を記憶する。
【００２４】
なお、上記通信部１４は、例えばＲＦＩＤ（ＩＣタグ）で実現してもよい。この場合、サーバ２００のアドレス情報は、ＲＦＩＤ側が保持する。
【００２５】
サーバ２００は、コンピュータ上に実現され、上記表示用データの表示及び消去を制御するための制御データを、ネットワーク等で構成された通信手段３００を介して通信部１４に送信する。サーバ２００では、例えば表示媒体１００に表示するデータに関係したプロジェクト（業務）が終了した時点等において、管理者がプロジェクト終了等の情報を入力すると、制御データとして、上記表示用データの表示を表示媒体１００の表示部１０から消去すべき旨の指示情報を生成する。この指示情報としては、例えばデータ消去を意味するフラグを立てる等の構成とすることができる。なお、この指示情報は、プロジェクト終了後、所定時間経過後に生成してもよいし、プロジェクト終了後直ちに生成して通信部１４に送信し、表示制御部１２側で所定時間経過してからデータの表示を消去する構成としてもよい。
【００２６】
また、表示部１０からデータを消去する際には、表示制御部１２が、消去したデータを記憶部１６に記憶させる構成が好適である。これにより、一度消去したデータを、必要に応じて再度表示部１０に表示させることができる。
【００２７】
また、表示媒体１００のそれぞれに表示媒体の個々のＩＤを持たせ、表示媒体１００は制御データを受け取った場合に、自らのＩＤと制御データを受け取ったことを示すデータとをサーバ２００に返信するようにしてもよい。サーバ２００はこの返信された情報をもとにして、どの表示媒体において表示制御が行われたのかを管理する構成としても良い。
【００２８】
さらに、表示制御部１２がデータを消去する場合、表示された全部の表示を消去する構成でもよいし、所定の一部を消去する構成でもよい。
【００２９】
図２（ａ），（ｂ）には、本実施形態にかかる表示媒体の変形例が示される。図２（ａ）では、表示媒体１００に表示部１０及び表示制御部１２が設けられており、通信部１４及び記憶部１６はコンピュータ４００に設けられている。本例では、コンピュータ４００がサーバ２００と通信し、制御データを取得する。コンピュータ４００は、取得した制御データに基づいて表示制御部１２に指示を出し、表示部１０に表示されたデータを消去させる。
【００３０】
また、図２（ｂ）では、表示媒体１００に表示部１０のみが設けられている。この場合の表示部１０は、自己書き換え機能を有さない、すなわちジリコンビーズやマイクロカプセル等を駆動する駆動層を有さない電子ペーパーで構成されている。この場合、駆動層は、電子ペーパー（表示部１０）の書き込み装置５００に設けられ、コンピュータ４００による動作制御に基づいて表示部１０へのデータの表示及びその消去を行う。データの表示及び消去を行う際には、利用者が電子ペーパーを書き込み装置５００に載置する。また、コンピュータ４００には、表示制御部１２、通信部１４及び記憶部１６が設けられている。コンピュータ４００はサーバ２００と通信し、取得した制御データに基づいて表示制御部１２が書き込み装置５００に指示を出して、表示部１０に表示されたデータを消去させる。
【００３１】
図３には、本実施形態にかかる表示媒体の動作例のフローが示される。図３において、表示部１０に表示用のデータが表示されている時に、通信部１４がサーバ２００と通信し、制御データを取得する（Ｓ１０１）。なお、通信部１４は、記憶部１６に記憶されたアドレス情報を使用してサーバ２００と通信する。
【００３２】
表示制御部１２は、上記制御データに上記データの表示を消去する旨の消去指示が含まれているか否かを判断する（Ｓ１０２）。この消去指示は、例えばサーバ２００が生成したデータ消去を意味するフラグが立っているとの情報等である。
【００３３】
Ｓ１０２において、消去指示が含まれていた場合には、表示制御部１２が表示部１０に表示されていたデータの全部または一部を消去する（Ｓ１０３）。なお、制御データを受け取ってから表示データを消去するまでの時間は、予め記憶部１６に記憶しておいてもよいし、サーバ２００が制御データを生成する際に、制御データに含めてもよい。
【００３４】
一方、Ｓ１０２において、消去指示が含まれていなかった場合には、Ｓ１０１からの動作を繰り返し、サーバ２００から消去指示を含む制御データが送信されたか否かを監視する。この監視は、例えば定期的にサーバ２００に制御データの送信を要求することにより行う。
【００３５】
実施形態２．
図４には、本発明にかかる表示媒体の実施形態２の構成例が示され、図１と同一要素には同一符号を付してその説明を省略する。図４において、特徴的な点は、サーバ２００から制御データを取得する通信部１４の代わりに検出部１８が設けられている点である。
【００３６】
検出部１８は、光センサまたは圧力センサにより構成され、表示媒体１００が積層されていることを検知する。
【００３７】
検出部１８が光センサである場合には、積層された表示媒体１００のうち、最上部のものを除いて光が遮られるので、光が遮られたことを検知して表示媒体１００が積層状態であることを検出する。また、検出部１８が圧力センサである場合には、積層された表示媒体１００のうち、最上部のものを除いて上部に積層された表示媒体１００の質量により圧力が作用するので、この圧力を検知して表示媒体１００が積層状態であることを検出する。
【００３８】
表示媒体１００に表示されたデータが不要になった場合には、それらのデータが表示された複数の表示媒体１００が積層され、所定の場所に片付けられる。このため、上記検出部１８は、複数の表示媒体１００が積層状態であることを検出し、その出力を表示制御部１２に渡す。表示制御部１２は、上記検出部１８の検出出力を、表示部１０におけるデータの表示及び消去を制御するための制御データとして取得する。
【００３９】
図５（ａ），（ｂ）には、検出部１８を構成する光センサまたは圧力センサの配置例が示される。図５（ａ）の例では、表示媒体１００の中央部に検出部１８が１つ配置されている。これにより、複数の表示媒体１００が積層された場合に、光が遮られまたは圧力が作用したことを検出部１８が検出する。
【００４０】
また、図５（ｂ）の例では、表示媒体１００の中央部に加えて四隅付近にも検出部１８が配置されており、検出部１８の数が５個となっている。この場合、５個の検出部１８のうち、何れか１個の検出部１８が検出出力を発生したときに表示媒体１００が積層されていると判断してもよいし、何れか複数または全部の検出部１８が検出出力を発生したときに表示媒体１００が積層されていると判断してもよい。本例では、５個の検出部１８により、表示媒体１００が積層されていることをより適切に検知できるように構成することができる。
【００４１】
なお、検出部１８の配置は、図５（ａ），（ｂ）に示された例に限られず、複数の表示媒体１００が積層状態であることを適切に検出できるように構成すればよい。
【００４２】
図６には、本実施形態にかかる表示媒体の動作例のフローが示される。図６において、
表示部１０に表示用のデータが表示されている時に、検出部１８が光が遮られまたは圧力が作用したことを検出したか否かを表示制御部１２が監視する（Ｓ２０１）。
【００４３】
表示制御部１２は、検出部１８が検出出力を発生すると、これを制御データとして受け取り、表示部１０に表示されたデータを消去する条件が満たされているか否かを確認する（Ｓ２０２）。ここで、消去する条件とは、例えば図５（ｂ）において、予め設定した個数の検出部１８が検出出力を発生している等の条件である。
【００４４】
Ｓ２０２において、消去条件が満たされていた場合には、表示制御部１２が表示部１０に表示されていたデータの全部または一部を消去する（Ｓ２０３）。なお、消去条件が満たされてから表示データを消去するまでの時間は、予め記憶部１６に記憶しておく。
【００４５】
一方、Ｓ２０２において、消去条件が満たされていなかった場合には、Ｓ２０１からの動作を繰り返し、表示媒体１００が積層状態となったか否かを監視する。
【図面の簡単な説明】
【００４６】
【図１】本発明にかかる表示媒体の実施形態１の構成例を示す図である。
【図２】実施形態１にかかる表示媒体の変形例を示す図である。
【図３】実施形態１にかかる表示媒体の動作例のフロー図である。
【図４】本発明にかかる表示媒体の実施形態２の構成例を示す図である。
【図５】検出部の配置例を示す図である。
【図６】実施形態２にかかる表示媒体の動作例のフロー図である。
【符号の説明】
【００４７】
１０  表示部、１２  表示制御部、１４  通信部、１６  記憶部、１８  検出部、１００  表示媒体、２００  サーバ、３００  通信手段、４００  コンピュータ、５００  書き込み装置。
【図１】
2008233159.tif 000003
【図２】
2008233159.tif 000004
【図３】
2008233159.tif 000005
【図４】
2008233159.tif 000006
【図５】
2008233159.tif 000007
【図６】
2008233159.tif 000008